(57)【特許請求の範囲】
【請求項１】
左右に立設する一対の側部材と、該側部材間に水平に配置される棚部材及びハンガー掛部とを備えてなり、上記左右一対の側部材間に前面開口部を設け、該左右一対の側部材間の横幅サイズを調節可能な伸縮機構を設け、少なくとも一方の側部材に側面開口部を設け、該側面開口部を開閉可能な上下多段状に配置される複数個の開閉羽根体と該開閉羽根体を開閉回動させる開閉機構とからなるブラインド機構を配設してなることを特徴とするクローゼット。
【請求項２】
上記前面開口部に複数個のスラット状のシート材が蝶番部により山折り谷折りに連続する構造のアコーディオンカーテンを配設してなることを特徴とする請求項１記載のクローゼット。
【発明の詳細な説明】
【０００１】
【発明の属する技術分野】
本発明は例えば室内の家具として箪笥状に使用されたり、押し入れや収納室内に組み込まれたりして用いられるクローゼットに関するものである。
【０００２】
【従来の技術】
一般的にこの種のクローゼットとして、左右に立設する一対の側部材と、この側部材間に水平に配置される棚部材及びハンガー掛部とを備えてなる構造のものが知られている。
【０００３】
【発明が解決しようとする課題】
しかしながらこの従来構造の場合、上記一対の側部材は板材により閉塞状になっていたり、格子材により開放状に形成されており、閉塞状になっていると、クローゼット内と外部との通気性が低下し、衣服の虫食い現象や高温多湿の保存に悪い雰囲気が生成され、又、開放状になっていると、クローゼット内に収納した衣服等が外部から覗けることになり、室内のインテリア性に欠けることがあるという不都合を有している。
【０００４】
【課題を解決するための手段】
本発明はこれらの課題を解決することを目的とし、本発明のうちで、請求項１記載の発明は、左右に立設する一対の側部材と、該側部材間に水平に配置される棚部材及びハンガー掛部とを備えてなり、上記左右一対の側部材間に前面開口部を設け、該左右一対の側部材間の横幅サイズを調節可能な伸縮機構を設け、少なくとも一方の側部材に側面開口部を設け、該側面開口部を開閉可能な上下多段状に配置される複数個の開閉羽根体と該開閉羽根体を開閉回動させる開閉機構とからなるブラインド機構を配設してなることを特徴とするクローゼットにある。
【０００５】
又、請求項２記載の発明は、上記前面開口部に複数個のスラット状のシート材が蝶番部により山折り谷折りに連続する構造のアコーディオンカーテンを配設してなることを特徴とする請求項１記載のクローゼット。
【０００６】
【発明の実施の形態】
図１乃至図６は本発明の実施の形態例を示し、１・１は側部材であって、左右に立設配置され、この一対の側部材１・１間に棚部材Ｔ及びハンガー掛部Ｈを水平に配置して構成している。
【０００７】
そして、この左右一対の各側部材１・１に側面開口部２・２を形成し、この側面開口部２・２を開閉可能なブラインド機構３を配設している。
【０００８】
このブラインド機構３は、上下多段状に配置される複数個の開閉羽根体３ａと、該開閉羽根体を開閉回動させる開閉機構３ｂとからなり、この場合、上記側部材１・１の上部材１ａ・１ａ内に回動軸３ｃを回動自在に横設し、この回動軸３ｃに止着体３ｄを取付けると共に上部材１ａ・１ａの内面から一部外周面が露呈する回動摘まみ盤３ｅを取付け、止着体３ｄに前後一対の三組の紐体３ｆ・３ｆの上端部を止着し、この紐体３ｆ・３ｆを側面開口部２・２の上面２ａ・２ａを介して側面開口部２・２の下面２ｂ・２ｂに垂下し、かつ、この前後一対の紐体３ｆ・３ｆ間に複数個の載紐３ｇを上下多段に梯子状に架設し、各開閉羽根体３ａに長穴Ｎを形成し、上面２ａ・２ａと下面２ｂ・２ｂとの間に線材からなるガイド杆３ｈを縦設し、複数個の開閉羽根体３ａを載紐３ｇ上に載置すると共にガイド杆２ｇに長穴Ｎを挿通して構成されている。
【０００９】
しかして、回動摘まみ盤３ｅを指等で回動することにより前後一対の紐体３ｆ・３ｆは互いに上下逆方向に移動し、この相互逆方向の移動により載紐３ｇは前下がり、又は後下がり、若しくは水平状態となり、この図４の前下がり、又は後下がり状態において、開閉羽根体３ａは相互に重合して側面開口部２は閉口し、図５の水平状態において、開閉羽根体３ａは相互に離反して側面開口部２は開口状態となるように構成している。
【００１０】
４・４はアコーディオンカーテンであって、上記一対の側部材１・１間の前面開口部５に設けられ、この場合、複数個のスラット状のシート材４ａを蝶番部４ｂにより山折り谷折りに連続する構造のものが左右に配置されてなり、左右の側部材１・１間に支持杆１ｂを架設し、各シート材４ａに吊輪４ｃを立設し、支持杆１ｂに吊輪４ｃを通して複数個のシート材４ａを前面開口部５に配置し、左右の側部材１・１とこれに対向するシート材４ａ・４ａ間に両部材を接離可能な磁石部４ｄを介在すると共に一方のアコーディオンカーテン４のシート材４ａと他方のアコーディオンカーテン４のシート材４ａとの間の突き合わせ面に相互に接離可能な磁石部４ｄを設けて構成している。
【００１１】
又、この場合、上記左右の側部材１・１間の横幅サイズが調節可能に設けられ、即ち、棚部材Ｔ、ハンガー掛部Ｈ及び支持杆１ｂは大径のパイプ内に小径のパイプを挿通してなる伸縮機構６により伸縮自在に設けられている。
【００１２】
この実施の形態例は上記構成であるから、図１、図２の如く、少なくとも一方の側部材１に側面開口部２を設け、この側面開口部２をブラインド機構３により開閉することができ、このため、側面開口部２を開口することによりクローゼット内と外部との通気性を確保することができ、衣服の虫食い現象や高温多湿雰囲気を抑制することができ、又、側面開口部２を閉口することによりクローゼット内に収納した衣服等を外部から隠蔽することができ、室内のインテリア性を高めることができる。
【００１３】
又、この場合、上記ブラインド機構３は、上下多段状に配置される複数個の開閉羽根体３ａと、開閉羽根体３ａを開閉回動させる開閉機構３ｂとからなるので、構造を簡素化することができると共に開閉羽根体３ａの開閉操作を容易に行うことができる。
【００１４】
尚、本発明は上記実施の形態例に限られるものではなく、例えば、側部材１やブラインド機構３の材質、形態や大きさ等は適宜設計して変更される。
【００１５】
【発明の効果】
本発明は上述の如く、請求項１記載の発明にあっては、左右に立設する一対の側部材と、該側部材間に水平に配置される棚部材及びハンガー掛部とを備えてなり、上記左右一対の側部材間に前面開口部を設け、該左右一対の側部材間の横幅サイズを調節可能な伸縮機構を設け、少なくとも一方の側部材に側面開口部を設け、該側面開口部を開閉可能な上下多段状に配置される複数個の開閉羽根体と該開閉羽根体を開閉回動させる開閉機構とからなるブラインド機構を配設してなるから、側面開口部を開閉可能な上下多段状に配置される複数個の開閉羽根体と該開閉羽根体を開閉回動させる開閉機構とからなるブラインド機構により開閉することができ、構造を簡素化することができると共に開閉羽根体の開閉操作を容易に行うことができ、側面開口部を開口することによりクローゼット内と外部との通気性を確保することができ、衣服の虫食い現象や高温多湿雰囲気を抑制することができ、又、側面開口部を閉口することによりクローゼット内に収納した衣服等を外部から隠蔽することができ、室内のインテリア性を高めることができ、かつ、左右一対の側部材間の横幅サイズを伸縮機構により調節可能することができる。
【００１６】
又、請求項２記載の発明にあっては、上記前面開口部に複数個のスラット状のシート材が蝶番部により山折り谷折りに連続する構造のアコーディオンカーテンを配設してなるから、前面開口部の開閉を確実に行うことができる。
【００１７】
以上の如く、所期の目的を充分達成することができる。
【図面の簡単な説明】
【図１】  本発明の実施の形態例の全体斜視図である。
【図２】  本発明の実施の形態例の側面図である。
【図３】  本発明の実施の形態例の部分断面図である。
【図４】  本発明の実施の形態例の部分拡大断面図である。
【図５】  本発明の実施の形態例の部分拡大断面図である。
【図６】  本発明の実施の形態例の部分断面図である。
【符号の説明】
Ｔ  棚部材
Ｈ  ハンガー掛部
１  側部材
２  側面開口部
３  ブラインド機構
４  アコーディオンカーテン
４ａ  シート材
４ｂ  蝶番部
５  前面開口部
６  伸縮機構
【図１】
0003809633.tif 000002
【図２】
0003809633.tif 000003
【図３】
0003809633.tif 000004
【図４】
0003809633.tif 000005
【図５】
0003809633.tif 000006
【図６】
0003809633.tif 000007